(57)【要約】【課題】使い勝手を保ちつつ、天板上の入力スイッチの誤入力を抑制すること。【解決手段】外郭を構成する本体１と、本体１の上面に設けた天板２と、天板２上に載置された被加熱物を加熱する左加熱コイル３及び右加熱コイル４と、天板２と略同一面に設けられ左加熱コイル３を制御する第１入力スイッチ郡５と、天板２と略同一面に設けられ右加熱コイル４を制御する第２入力スイッチ郡６とを備え、左加熱コイル３が所定時間加熱動作がない時、第１入力スイッチ郡５の中の単一もしくは複数の特定スイッチを除き第１入力スイッチ郡５の入力を無効とする第１待機モードと、右加熱コイル４が所定時間加熱動作がない時、第２入力スイッチ郡６の中の単一もしくは複数の特定スイッチを除き第２入力スイッチ郡６の入力を無効とする第２待機モードとを有する構成としたものである。【選択図】図１
2006294369.tif 000002
【特許請求の範囲】
【請求項１】
外郭を構成する本体と、前記本体の上面に設けた天板と、前記天板上に載置された被加熱物を加熱する第１及び第２の加熱手段と、前記天板と略同一面に設けられ前記第１の加熱手段を制御する第１入力スイッチ郡と、前記天板と略同一面に設けられ前記第２の加熱手段を制御する第２入力スイッチ郡とを備え、前記第１加熱手段が所定時間加熱動作がない時、前記第１入力スイッチ郡の中の単一もしくは複数の特定スイッチを除き前記第１入力スイッチ郡の入力を無効とする第１待機モードと、前記第２加熱手段が所定時間加熱動作がない時、前記第２入力スイッチ郡の中の単一もしくは複数の特定スイッチを除き前記第２入力スイッチ郡の入力を無効とする第２待機モードとを有した加熱調理器。
【請求項２】
第１加熱手段が所定時間加熱動作がなく且つ所定時間第１入力スイッチ郡からの入力がない時、前記第１入力スイッチ郡の中の単一もしくは複数の特定スイッチを除き前記第１入力スイッチ郡の入力を無効とする第１待機モードと、第２加熱手段が所定時間加熱動作がなく且つ所定時間第２入力スイッチ郡からの入力がない時、前記第２入力スイッチ郡の中の単一もしくは複数の特定スイッチを除き前記第２入力スイッチ郡の入力を無効とする第２待機モードとを有した請求項１に記載の加熱調理器。
【請求項３】
第１待機モード中に、第１入力スイッチ郡の中の単一もしくは複数の特定スイッチが入力されると、第１加熱手段の加熱開始が前記第１入力スイッチの入力により可能である第１初期モードへ移行し、第２待機モード中に、第２入力スイッチ郡の中の単一もしくは複数の特定スイッチが入力されると、第２加熱手段の加熱開始が前記第２入力スイッチの入力により可能である第２初期モードへ移行する請求項１または２に記載の加熱調理器。
【請求項４】
第１待機モードとなっている時及び第２待機モードとなっている時、そのことを表示する表示手段を有した請求項１〜３のいずれか１項に記載の加熱調理器。
【請求項５】
加熱手段を３口以上有し、そのそれぞれの前記加熱手段に対応した入力スイッチと、それぞれの前記加熱手段に対応した待機モードもしくは初期モードと、前記待機モードにあるときにそのことを表示する表示手段を有した請求項１〜４のいずれか１項に記載の加熱調理器。
【請求項６】
入力スイッチは静電容量式のタッチスイッチであることを特徴とする請求項１〜５のいずれか１項に記載の加熱調理器。
【発明の詳細な説明】
【技術分野】
【０００１】
本発明は、天板と同一面上に操作スイッチを有した加熱調理器に関するものである。
【背景技術】
【０００２】
従来、この種の加熱調理器としては、図８に示すものがある（例えば、特許文献１参照）。
【０００３】
図８は被加熱物が載置される天板上に操作部を設ける構成とした加熱調理器である。
【０００４】
以下図面によりその構成について説明する。加熱調理器の外郭を構成する本体１６の上面には、トッププレート１７が配設されている。本体１６内のトッププレート１７の下面には加熱手段１８が配置されている。また、トッププレート１７の表面上には、加熱手段１８が配設されている位置に対応して被加熱物１９を載置する加熱部２０が設けられている。さらに、本体１６の前面部には第１の操作部２１と、操作に応じて各種状態を表示する第１の表示部２２を設けている。
【０００５】
トッププレート１７の表面上には、加熱手段１８の加熱の入切、火力調節などの使用頻度の高い操作手段としての操作キーを有する第２の操作部２３を設けている。トッププレート１７の下方には第２の操作部２３の入力操作可否状態を示す第２の表示部２４を設け、第２の操作部２３が入力操作可能である場合には、発光ＬＥＤにより点灯表示し、無効状態である場合には、消灯もしくは点滅で表示する構成としている。
【特許文献１】特開２００３−２０８９７２号公報
【発明の開示】
【発明が解決しようとする課題】
【０００６】
しかしながら、前記従来の構成では、加熱手段１８を制御するのに第１の操作部２１と第２の操作部２３との複数の重複した操作手段を有しており、高価な構成となるという課題を有していた。また、トッププレート１７の下方の第２の操作部２３により入力操作を禁止している時は、トッププレートと同一面上のスイッチの操作では、加熱動作を開始することができない構成となるという課題も有していた。
【０００７】
本発明は、前記従来の課題を解決するもので、加熱動作やスイッチ入力がない状態で所定時間経過すると、天板に配置された特定スイッチ以外の入力を禁止する待機モードを複数の加熱手段毎に設けることで、機器が待機モードになった場合も天板上のスイッチのみで待機モードを解除し加熱動作させることができる使い勝手のよさと、従来例の第１操作部を不要とした安価な構成と、更には天板配置のスイッチ入力の誤入力抑制を両立させることを目的とする。
【課題を解決するための手段】
【０００８】
前記従来の課題を解決するために、本発明の加熱調理器は、外郭を構成する本体と、前記本体の上面に設けた天板と、前記天板上に載置された被加熱物を加熱する第１及び第２の加熱手段と、前記天板と略同一面に設けられ前記第１の加熱手段を制御する第１入力スイッチ郡と、前記天板と略同一面に設けられ前記第２の加熱手段を制御する第２入力スイッチ郡とを備え、前記第１加熱手段が所定時間加熱動作がない時、前記第１入力スイッチ郡の中の単一もしくは複数の特定スイッチを除き前記第１入力スイッチ郡の入力を無効とする第１待機モードと、前記第２加熱手段が所定時間加熱動作がない時、前記第２入力スイッチ郡の中の単一もしくは複数の特定スイッチを除き前記第２入力スイッチ郡の入力を無効とする第２待機モードとを有するとしたものである。
【０００９】
これによって、機器が、天板上の入力スイッチの動作を誤入力防止のため抑制させた待機モードになった場合も、天板上のスイッチのみで待機モードを解除し加熱動作させることができる使い勝手のよい加熱調理器を提供できる。
【００１０】
また、天板上のスイッチの動作禁止状態を解除するために、従来加熱手段を動作させる入力スイッチは、天板上と更に天板上ではない場所に重複して配置されていたが、前記構成において、機モードからの復帰を天板上の特定スイッチで行わせることで、天板上ではない場所に加熱手段を動作させるスイッチは不要となり安価な構成となる。
【発明の効果】
【００１１】
本発明の加熱調理器は、加熱動作やスイッチ入力がない状態で所定時間経過すると、天板に配置された特定スイッチを除き入力を禁止する待機モードを設けることで、機器が待機モードになった場合も天板上のスイッチのみで待機モードを解除し加熱動作さることができ使い勝手が向上することに加え、加熱手段毎に待機モードを有することで天板配置のスイッチ入力の誤入力抑制効果を向上させることができる。
【発明を実施するための最良の形態】
【００１２】
第１の発明は、外郭を構成する本体と、前記本体の上面に設けた天板と、前記天板上に載置された被加熱物を加熱する第１及び第２の加熱手段と、前記天板と略同一面に設けられ前記第１の加熱手段を制御する第１入力スイッチ郡と、前記天板と略同一面に設けられ前記第２の加熱手段を制御する第２入力スイッチ郡とを備え、前記第１加熱手段が所定時間加熱動作がない時、前記第１入力スイッチ郡の中の単一もしくは複数の特定スイッチを除き前記第１入力スイッチ郡の入力を無効とする第１待機モードと、前記第２加熱手段が所定時間加熱動作がない時、前記第２入力スイッチ郡の中の単一もしくは複数の特定スイッチを除き前記第２入力スイッチ郡の入力を無効とする第２待機モードとを有するとすることにより、機器が、天板上の入力スイッチの動作を誤入力防止のため抑制させた待機モードになった場合も、天板上のスイッチのみで待機モードを解除させることができる使い勝手のよい加熱調理器を提供できる。
【００１３】
また、天板上のスイッチの動作禁止状態を解除するために、従来加熱手段を動作させる入力スイッチは、天板上と更に天板上ではない場所に重複して配置されていたが、前記構成において、待機モードからの復帰を天板上の特定スイッチで行わせることで、天板上ではない場所に加熱手段を動作させるスイッチは不要となり安価な構成となる。
【００１４】
また更に、第１及び第２の待機モードを個別に有することで、例えば、第１加熱手段が加熱中の場合も第２加熱手段を加熱していなければ、所定時間後は第２加熱手段にかかわる入力を抑制した第２待機モードに移行し、天板上のスイッチの誤入力の可能性を抑制することがてきる。前述動作の逆に、第２加熱手段が加熱中の場合も第１加熱手段を加熱していなければ、所定時間後は第１加熱手段にかかわる入力を抑制した第１待機モードに移行する。このように、加熱手段毎に個別に待機モードを有することで、実使用に応じた天板上のスイッチの動作抑制を行うことができ、使い勝手を損なうことなく、天板上スイッチの誤入力を抑制することができる。
【００１５】
第２の発明は、特に、第１の発明において、第１加熱手段が所定時間加熱動作がなく且つ所定時間第１入力スイッチ郡からの入力がない時、前記第１入力スイッチ郡の中の単一もしくは複数の特定スイッチを除き前記第１入力スイッチ郡の入力を無効とする第１待機モードと、第２加熱手段が所定時間加熱動作がなく且つ所定時間第２入力スイッチ郡からの入力がない時、前記第２入力スイッチ郡の中の単一もしくは複数の特定スイッチを除き前記第２入力スイッチ郡の入力を無効とする第２待機モードとを有するとすることにより、機器が、天板上の入力スイッチの動作を誤入力防止のため抑制させた待機モードになった場合も、天板上のスイッチのみで待機モードを解除させることができる使い勝手のよい加熱調理器を提供できる。
【００１６】
また、天板上のスイッチの動作禁止状態を解除するために、従来加熱手段を動作させる入力スイッチは、天板上と更に天板上ではない場所に重複して配置されていたが、前記構成において、機モードからの復帰を天板上の特定スイッチで行わせることで、天板上ではない場所に加熱手段を動作させるスイッチは不要となり安価な構成となる。
【００１７】
また更に、第１及び第２の待機モードを個別に有することで、例えば第１加熱手段が加熱中もしくは第１入力スイッチの操作中の場合も第２加熱手段を非加熱状態で、第２入力スイッチの操作をしていなければ、所定時間後は第２加熱手段にかかわる入力を抑制した第２待機モードに移行し、天板上のスイッチの誤入力の可能性を抑制することができる。前述動作の逆に、第２加熱手段が加熱中もしくは第２入力スイッチの操作中の場合も第１加熱手段を非加熱状態で、第１入力スイッチの操作をしていなければ、所定時間後は第１加熱手段にかかわる入力を抑制した第１待機モードに移行する。このように、加熱手段毎に個別に待機モードを有することで、実使用に応じた天板上のスイッチの動作抑制を行うことができ、使い勝手を損なうことなく、天板上スイッチの誤入力を抑制することができる。
【００１８】
第３の発明は、特に、第１または第２の発明において、第１待機モード中に、第１入力スイッチ郡の中の単一もしくは複数の特定スイッチが入力されると、第１加熱手段の加熱開始が前記第１入力スイッチの入力により可能である第１初期モードへ移行し、第２待機モード中に、第２入力スイッチ郡の中の単一もしくは複数の特定スイッチが入力されると、第２加熱手段の加熱開始が前記第２入力スイッチの入力により可能である第２初期モードへ移行するとすることにより、機器が、天板上の入力スイッチの動作を誤入力防止のため抑制させた待機モードになった場合も、天板上のスイッチのみで待機モードを解除し加熱動作させることができる使い勝手のよい加熱調理器を提供できる。
【００１９】
第４の発明は、特に、第１〜３のいずれか１つの発明において、第１待機モードとなっている時及び第２待機モードとなっている時、そのことを表示する表示手段を有するとすることにより、第１加熱手段と第２加熱手段のいずれが天板上スイッチによる入力を抑制しているかを、容易に使用者に知らしめることができ更に使い勝手が向上する。
【００２０】
第５の発明は、特に、第１〜４のいずれか１つの発明の加熱手段を、３口以上有する構成で、そのそれぞれの前記加熱手段に対応した入力スイッチと、それぞれの前記加熱手段に対応した待機モードもしくは初期モードと、前記待機モードにあるときにそのことを表示する表示手段を有するとすることにより、３口以上の加熱手段を有した加熱調理器においても、機器が待機モードになった場合も天板上のスイッチのみで待機モードを解除し加熱動作さることができ使い勝手が向上することに加え、加熱手段毎に待機モードを有することで天板配置のスイッチ入力の誤入力抑制効果を向上させることができる。
【００２１】
第６の発明は、特に、第１〜５の発明のいずれか１つの発明の第１スイッチもしくは第２スイッチもしくは入力スイッチを、静電容量式のタッチスイッチとすることにより、タッチスイッチは原理上触れるだけでスイッチ受付するので操作感にすぐれ使い勝手が向上する。
【００２２】
以下、本発明の実施の形態について、図面を参照しながら説明する。なお、この実施の形態によって本発明が限定されるものではない。
【００２３】
（実施の形態１）
図１は、本発明の第１の実施の形態における加熱調理器の構成図を示すものである。
【００２４】
図１に示すように、外郭構成する本体１の上面に天板２が設けられ、天板上に搭載置された被加熱物を加熱するため、本体左側の天板２の下部には第１の加熱手段である左加熱コイル３、本体右側の天板２の下部には第２の加熱手段である右加熱コイル４が設けられている。左加熱コイル３及び右加熱コイル４は、コイルに高周波電流を流し磁界を発生させることで当該加熱コイル上部の被加熱物を誘導加熱している。
【００２５】
更に、天板２と略同一面上で左加熱部前方には、左加熱コイル３による加熱の入切を制御する第１入力スイッチである左加熱切／入スイッチ５ｃ、左加熱の出力の調整行う第１入力スイッチである左ダウンスイッチ５ａ、左アップスイッチ５ｂ、左加熱のタイマ動作の設定行う第１入力スイッチである左タイマスイッチ５ｄ、左加熱のタイマ動作の解除を解除する第１スイッチである左取消スイッチ５ｅが設けられている。左取消スイッチ５ｅは、左加熱部が前述の第１スイッチ郡からの入力を制限している第１待機モードにあるとき、第１待機モードを解除し第１初期モードへ移行させる特定スイッチとしての働きも兼ね備えている。
【００２６】
左加熱部と同様に、天板２と略同一面上で右加熱部前方には、右加熱コイル４による加熱の入切を制御する第２入力スイッチである右加熱切／入スイッチ６ｃ、右加熱の出力の調整行う第２入力スイッチである右ダウンスイッチ６ａ、右アップスイッチ６ｂ、右加熱のタイマ動作の設定行う第２入力スイッチである右タイマスイッチ６ｄ、右加熱のタイマ動作の解除を解除する第２スイッチである右取消スイッチ６ｅが設けられている。右取消スイッチ６ｅは、左加熱部が前述の第１スイッチ郡からの入力を制限している第２待機モードにあるとき、第２待機モードを解除し第２初期モードへ移行させる特定スイッチとしての働きも兼ね備えている。
【００２７】
また更に、各スイッチの直前には左中右それぞれの加熱手段の動作状態や設定状態、待機モードや初期モード等の動作モードを表示する表示手段である左液晶表示装置８ａ、表示手段である右液晶表示装置８ｂがそれぞれ設けられている。また、天板２の下側には、各スイッチからの入力信号に基づき左加熱コイル３、右加熱コイル４、左液晶表示装置８ａ、右液晶表示装置８ｂを制御する制御手段７を有している。
【００２８】
図１の構成を有する加熱調理器を以下図面を参照しながら説明する。
【００２９】
図２は、第１スイッチ郡である左スイッチ部の詳細構成とスイッチ検知信号を図示したものであり、各スイッチは導電性の表電極と裏電極とで、絶縁物（ここではガラスとする）で構成される天板２を挟み込んだコンデンサ構成となっている。表電極は使用者が容易に操作できるよう、天板２の外郭と同一面上に形成されており、表電極に人の指が触れると、前述したコンデンサ構造部に蓄えられていた電荷が人体を介して対地に放電されることから、図２に示すようにスイッチ検知信号がｖ１（ここでは４Ｖとする）からｖ２（ここでは２Ｖとする）に変動する。スイッチの受付は、あらかじめ設定された電圧変動しきい値Ｖθ（ここでは１Ｖ）を超える変動電圧が、あらかじめ設定された時間ｔθの間連続して入力された時に有効とし、左ダウンスイッチ５ａ、左アップスイッチ５ｂ、左加熱切／入スイッチ５ｃ、左タイマスイッチ５ｄ、左取消スイッチ５ｅは制御手段７に有効信号を出力する。
【００３０】
そして、制御手段７は、有効スイッチ入力に基づいて左加熱コイル３と左液晶表示装置８ａを制御する。第２スイッチ郡である右スイッチ部の構成も、前述した左スイッチ部と同一でありその説明は割愛する。
【００３１】
図３は、左加熱部の動作モード状態遷移図であり、図面を参照しながら以下説明する。
【００３２】
機器に電源が供給されると、左加熱部は第１初期モードである左初期モードに移行する。左初期モードでは、制御手段の内部にあるカウンタを動作させるとともに、左加熱切／入スイッチ及び左タイマスイッチの入力を有効にしている。
【００３３】
左初期モード中に左加熱切／入スイッチを受付けると、左加熱部の加熱をオンする左加熱モードへ、左タイマスイッチを受付けると、加熱時間を限定するタイマ設定を行う左タイマ合わせモードへ移行する。
【００３４】
左加熱モードでは、カウンタをクリアして停止させるとともに、左加熱動作をオンし、左液晶表示装置に加熱表示を行う。左加熱モード中は、左加熱切／入スイッチ、左タイマスイッチ、左アップスイッチ、左ダウンスイッチの入力を有効にしており、左加熱切／入スイッチを受付けると左初期モードへ移行、左タイマスイッチを受付けると時間限定の左加熱動作を行う左タイマ加熱モードへ移行し、左アップスイッチ、左ダウンスイッチを受付けると左加熱モードを維持したまま加熱出力の増減を行う。
【００３５】
左タイマ合わせモードでは、カウンタを動作させるとともに、左液晶表示装置に設定時間表示を行い、左加熱切／入スイッチ、左タイマスイッチ及び左取消スイッチの入力を有効にしている。左タイマ合わせモード中に左加熱切／入スイッチを受付けると左タイマ加熱モードへ移行、左取消スイッチを受付けると左初期モードへ移行し、左タイマスイッチを受付けると左タイマ合わせモードを維持したまま設定時間の変更を行う。
【００３６】
左タイマ加熱モードでは、カウンタをクリアして停止させるとともに、左加熱動作をオンし、左液晶表示装置に限定時間表示と加熱表示を行う。左タイマ加熱モード中は、左加熱切／入スイッチ、左タイマスイッチ、左アップスイッチ、左ダウンスイッチ、左ダウンスイッチの入力を有効にしており、左加熱切／入スイッチを受付けると左初期モードへ移行、左取消スイッチを受付けると左加熱モードへ移行し、左アップスイッチ、左ダウンスイッチを受付けると左タイマ加熱モードを維持したまま加熱出力の増減を行う。また、左タイマ加熱モード中に左タイマスイッチを受付けると左タイマ加熱モードを維持したまま設定時間の変更を行う。
【００３７】
前述した状態遷移の中で、カウンタが所定時間（ここでは３分とする）経過すると機器は、左入力スイッチの動作を制限した左待機モードへ移行する。カウンタは、加熱のない左初期モードと左タイマ合わせモード中は継続動作、加熱オンである左加熱モードと左タイマ合わせモード中はクリア且つ停止させており、使用者が実質使用していない時間をカウントして、左入力スイッチの動作を制限した待機モードへ移行させるため、使い勝手を損なうことはない。
【００３８】
左待機モードでは、カウンタをクリアして停止させるとともに、左液晶表示装置に待機状態であることを表示し、左入力スイッチは、左取消スイッチのみ有効としスイッチ入力動作を制限している。左待機モード中に、左取消スイッチが入力されると左初期モードへ移行し待機状態は解除される。
【００３９】
左待機モード中は、前述した通り入力スイッチ受付を左取消スイッチのみに限定したものであり、使用者の誤入力や、調理器具がスイッチ上に置かれたとしても、スイッチ入力が可能な個数を限定しているため、意図しない動作モード移行を抑制できる。静電容量式タッチスイッチの検知の原理上、導電性の高い調味料や水の付着、スプーン、ナイフ、鍋、導電性の高いペットボトル入り調味料等のスイッチ上へ置くと、物理的応力を伴わなくとも入力検知してしまう可能性があるが、左待機モードでスイッチ入力が可能な個数を限定しているため、意図しない動作モード移行を抑制できる。
【００４０】
以上のように、本実施の形態によれば加熱動作がない状態で所定時間経過すると、天板に配置された特定スイッチを除き入力を禁止する待機モードを設けることで、機器が待機モードになった場合も天板上のスイッチのみで待機モードを解除し加熱動作させることができ使い勝手が向上することに加え、加熱手段毎に待機モードを有することで天板配置のスイッチ入力の誤入力抑制効果を向上させることができる。
【００４１】
また、例えば仮に、左待機モード中に左取消スイッチを受付けたとしても、その移行先は加熱を伴わない初期モードとしているため、使用者の意図しない加熱動作を行う可能性がなく安全性への配慮が高い。また、前述の意図しない初期モードへの移行後も、３分経過すれば再度待機状態へ移行するため、誤入力抑制効果は維持できる。
【００４２】
また、左待機モードは、その解除手段が天板と同一面上のスイッチで行えるため使い勝手もよく、また、解除動作を行うスイッチが他の機能（ここではタイマ時間設定の取り消し）と兼用しているため、専用スイッチを設ける必要がなく安価な構成となる。
【００４３】
図４は、右加熱部の動作モード状態遷移図であり、左加熱部と同様に、右初期モード、右タイマ合わせモード、右加熱モード、右タイマ加熱モード、右待機モードを有しており、右加熱切／入スイッチ、右ダウンスイッチ、右アップスイッチ、右タイマスイッチ、右取消スイッチ、カウンタ動作による状態移行は同一であり、その動作説明は割愛する。
【００４４】
図３、図４で示すように、左加熱部と右加熱部に独立して待機モードを保有させることで、左加熱中にも右待機モードへの移行が可能、また右加熱中にも左待機モードへの移行が可能であり、入力スイッチの誤入力の可能性を更に抑制することができる。
【００４５】
以上のように、本実施の形態では、通常加熱とオート調理の使用状況を勘案した上で、加熱オフとなるスイッチ検知時間を切り替える事で、天板にスイッチを設けた使い勝手のよさと、オート調理の性能確保を両立させることができる。
【００４６】
加熱動作やスイッチ入力がない状態で所定時間経過すると、天板に配置された特定スイッチを除き入力を禁止する待機モードを設けることで、機器が待機モードになった場合も天板上のスイッチのみで待機モードを解除し加熱動作さることができ使い勝手が向上することに加え、加熱手段毎に待機モードを有することで天板配置のスイッチ入力の誤入力抑制効果を向上させることができる。
【００４７】
また、本実施の形態では、第１スイッチ、第２スイッチ等の操作スイッチ部と液晶表示装置が、本体左側に載置された被加熱物の加熱に関するものと、本体中央に載置された被加熱物の加熱に関するものと、本体右側に載置された被加熱物の加熱に関するものとで個々に独立して有しており、各加熱手段の動作状況を容易に使用者に知らしめることができ使い勝手がよい。
【００４８】
また、本実施の形態では、第１スイッチ、第２スイッチ等の操作スイッチ部と液晶表示装置が、各加熱手段の前方に独立して配置されているので、各加熱手段の動作状況を容易に使用者に知らしめることができ使い勝手がよい。
【００４９】
また、本実施の形態の第１スイッチ、第２スイッチ等の操作スイッチは、静電容量式のタッチスイッチとしたものであり、タッチスイッチは原理上触れるだけでスイッチ受付するので操作感にすぐれ使い勝手がよい。
【００５０】
尚、本実施の形態では、表示手段を液晶表示装置として説明したが、ＬＥＤやバックライトユニット等の発光素子でも同等の効果が得られる。
【００５１】
また尚、本実施の形態では、待機モードを解除して初期モードに移行させる特定スイッチを取消スイッチのみとして説明したが、他のスイッチ単一や複数のスイッチを解除手段として有効としたとしても、１回の誤入力で加熱動作に移行することはなく、安全性確保の観点から有用である。
【００５２】
また、図７に示すように、本実施の形態である加熱部が２口ではなく、３口有する構成の加熱調理器においても、左中右とそれぞれ独立した待機モードを保持させることで、天板配置のスイッチ入力の誤入力抑制効果を向上させることができる。
【００５３】
また尚、入力スイッチは、静電容量式のタッチスイッチとして説明したが、入力スイッチの一部もしくは全てが、物理的応力を電気信号に変換するスイッチであったとしても、機器が待機モードになった場合も天板上のスイッチのみで待機モードを解除し加熱動作さることができ使い勝手が向上することに加え、加熱手段毎に待機モードを有することで天板配置のスイッチ入力の誤入力抑制効果を向上させることができる。
【００５４】
（実施の形態２）
図５は、本発明の第２の実施の形態における左加熱部の動作モード状態遷移図である。
【００５５】
本実施の形態は、構成図、スイッチ構成図及びタイマカウント動作を除く状態遷移動作は、第１の実施と形態と同等であり、其の説明は割愛する。機器に電源が供給されると、左加熱部は第１初期モードである左初期モードに移行し、モード移行時にカウンタクリアした後再度カウンタ動作させる。左待機モード中の左取消スイッチ入力、左加熱モード中の左加熱切／入スイッチ入力、左タイマ合わせモード中の左取消スイッチ入力、左タイマ加熱モード中の左加熱切／入スイッチ入力で初期モードに移行時も、タイマを一旦クリア後、タイマを再動作させる。
【００５６】
左初期モード中に左タイマスイッチ入力され、左タイマ合わせモードに移行した時も、モード移行時にカウンタクリアした後再度カウンタ動作させる。左加熱モード、左タイマ加熱モード、左待機モード時は、第１の実施の形態と同様、カウンタはクリア後停止させている。
【００５７】
図６は、右加熱部の動作モード状態遷移図であり、左加熱部と同様に、右初期モード、右タイマ合わせモード、右加熱モード、右タイマ加熱モード、右待機モードを有しており、右加熱切／入スイッチ、右ダウンスイッチ、右アップスイッチ、右タイマスイッチ、右取消スイッチ、カウンタ動作による状態移行は同一であり、その動作説明は割愛する。
【００５８】
このように、本実施の形態では、そのカウント動作を、非加熱状態にあるときに動作させ且つスイッチ入力があると一旦タイマクリアすることで、加熱がなく入力操作がない時間が所定時間（ここでは３分）経過すると、入力スイッチの動作を制限する待機モードへ移行させることができる。加熱状態だけでなく入力スイッチの入力信号を待機モードへ移行する条件に付加することで、使用者が使用の意思を持って操作中に機器が待機モードに移行することのない使い勝手のよいものとなる。
【００５９】
また、待機モード中は、入力スイッチ受付を取消スイッチのみに限定したものであり、使用者の誤入力や、調理器具がスイッチ上に置かれたとしても、スイッチ入力が可能な個数を限定しているため、意図しない動作モード移行を抑制できる。静電容量式タッチスイッチの検知の原理上、導電性の高い調味料や水の付着、スプーン、ナイフ、鍋、導電性の高いペットボトル入り調味料等のスイッチ上へ置くと、物理的応力を伴わなくとも入力検知してしまう可能性があるが、待機モードでスイッチ入力が可能な個数を限定しているため、意図しない動作モード移行を抑制できる。
【００６０】
また、例えば仮に、待機モード中に取消スイッチを受付けたとしても、その移行先は加熱を伴わない初期モードとしているため、使用者の意図しない加熱動作を行う可能性がなく安全性への配慮が高い。また前述の意図しない初期モードへの移行後も、３分経過すれば再度待機状態へ移行するため、誤入力抑制効果は維持できる。
【００６１】
また、待機モードは、その解除手段が天板と同一面上のスイッチで行えるため使い勝手もよく、また、解除動作を行うスイッチが他の機能（ここではタイマ時間設定の取り消し）と兼用しているため、専用スイッチを設ける必要がなく安価な構成となる。
【００６２】
図５、図６で示すように、左加熱部と右加熱部に独立して待機モードを保有させることで、左加熱中にも右待機モードへの移行が可能、また右加熱中にも左待機モードへの移行が可能であり、入力スイッチの誤入力の可能性を更に抑制することができる。
【００６３】
また、本実施の形態では、第１スイッチ、第２スイッチ等の操作スイッチ部と液晶表示装置が、本体左側に載置された被加熱物の加熱に関するものと、本体中央に載置された被加熱物の加熱に関するものと、本体右側に載置された被加熱物の加熱に関するものとで個々に独立して有しており、各加熱手段の動作状況を容易に使用者に知らしめることができ使い勝手がよい。
【００６４】
また、本実施の形態では、第１スイッチ、第２スイッチ等の操作スイッチ部と液晶表示装置が、各加熱手段の前方に独立して配置されているので、各加熱手段の動作状況を容易に使用者に知らしめることができ使い勝手がよい。
【００６５】
また、本実施の形態の第１スイッチ、第２スイッチ等の操作スイッチは、静電容量式のタッチスイッチとしたものであり、タッチスイッチは原理上触れるだけでスイッチ受付するので操作感にすぐれ使い勝手がよい。
【００６６】
尚、本実施の形態では、表示手段を液晶表示装置として説明したが、ＬＥＤやバックライトユニット等の発光素子でも同等の効果が得られる。
【００６７】
また尚、本実施の形態では、待機モードを解除して初期モードに移行させる特定スイッチを取消スイッチのみとして説明したが、他のスイッチ単一や複数のスイッチを解除手段として有効としたとしても、１回の誤入力で加熱動作に移行することはなく、安全性確保の観点から有用である。また、図７に示すように、本実施の形態である加熱部が２口ではなく、３口有する構成の加熱調理器においても、同様に、左中右の加熱コイルに対応する第１第３第２のスイッチ群にそれぞれ独立した待機モードを保持させることで、天板配置のスイッチ入力の誤入力抑制効果を向上させることができる。
【００６８】
また尚、入力スイッチは、静電容量式のタッチスイッチとして説明したが、入力スイッチの一部もしくは全てが、物理的応力を電気信号に変換するスイッチであったとしても、機器が待機モードになった場合も天板上のスイッチのみで待機モードを解除し加熱動作さることができ使い勝手が向上することに加え、加熱手段毎に待機モードを有することで天板配置のスイッチ入力の誤入力抑制効果を向上させることができる。
【産業上の利用可能性】
【００６９】
以上のように、本発明にかかる加熱調理器は、機器が待機モードになった場合も天板上のスイッチのみで待機モードを解除し加熱動作さることができ使い勝手が向上することに加え、加熱手段毎に待機モードを有することで天板配置のスイッチ入力の誤入力抑制効果を向上させることができるので、電熱加熱、誘導加熱のみならずガス加熱調理器等の用途にも適用できる。
【図面の簡単な説明】
【００７０】
【図１】本発明の実施の形態１、２における加熱調理器の構成図
【図２】本発明の実施の形態１、２における加熱調理器のスイッチ構成図及びスイッチ検知信号を示す図
【図３】本発明の実施の形態１における加熱調理器の左加熱部の状態遷移図
【図４】本発明の実施の形態１における加熱調理器の右加熱部の状態遷移図
【図５】本発明の実施の形態２における加熱調理器の左加熱部の状態遷移図
【図６】本発明の実施の形態２における加熱調理器の右加熱部の状態遷移図
【図７】３口加熱部を有した加熱調理器の構成図
【図８】従来の加熱調理器の構成図
【符号の説明】
【００７１】
１  本体
２  天板
３  左加熱コイル（第１の加熱手段）
４  右加熱コイル（第２の加熱手段）
５ａ  左ダウンスイッチ（第１スイッチ）
５ｂ  左アップスイッチ（第１スイッチ）
５ｃ  左加熱切／入スイッチ（第１スイッチ）
５ｄ  左タイマスイッチ（第１スイッチ）
５ｅ  左取消スイッチ（第１スイッチ、特定スイッチ）
６ａ  右ダウンスイッチ（第２スイッチ）
６ｂ  右アップスイッチ（第２スイッチ）
６ｃ  右加熱切／入スイッチ（第２スイッチ）
６ｄ  右タイマスイッチ（第２スイッチ）
６ｅ  右取消スイッチ（第２スイッチ）
８ａ  左液晶表示装置（表示手段）
８ｂ  右液晶表示装置（表示手段）
【図１】
2006294369.tif 000003
【図３】
2006294369.tif 000004
【図４】
2006294369.tif 000005
【図５】
2006294369.tif 000006
【図６】
2006294369.tif 000007
【図７】
2006294369.tif 000008
【図８】
2006294369.tif 000009
【図２】
2006294369.tif 000010